(57)【要約】【課題】  トランスの電力損失に起因する出力変動が低減されたＸ線発生装置を提供する。【解決手段】  収納容器の内部において、Ｘ線発生管が整流昇圧回路とトランスとの間に配置されたＸ線発生装置。【選択図】  図１
2015125905.tif 000002
【特許請求の範囲】
【請求項１】
陽極と絶縁管と陰極とを管軸方向に備えたＸ線発生管と、前記陽極と前記陰極との間に管電圧を出力する管電圧回路と、前記管電圧回路と前記Ｘ線発生管とを収納する収納容器と、を少なくとも有するＸ線発生装置であって、
前記管電圧回路は、入力された交流電圧より高い振幅の交流電圧を出力するトランスと、交流電圧を直流電圧に整流し振幅を増大する整流昇圧回路と、を少なくとも有し、
前記Ｘ線発生管は、前記管軸方向と交差する方向において、前記整流昇圧回路と前記トランスとの間に位置することを特徴とするＸ線発生装置。
【請求項２】
前記Ｘ線発生管は、前記管軸方向と直交する方向において、前記整流昇圧回路と前記トランスとの間に位置することを特徴とする請求項１に記載のＸ線発生装置。
【請求項３】
前記整流昇圧回路は、
前記陽極と前記陰極とのそれぞれに電気的に接続された陽極端子と陰極端子とを備え、
前記陽極端子は、前記管軸方向を法線とする仮想平面群のうち、前記絶縁管の外周面において前記陰極と前記陽極と中間点が形成する環状中間線の重心を通る仮想平面に対して、前記陽極と同じ側に位置し、
前記陰極端子は、前記仮想平面に対して、前記陽極端子と反対側に位置する
ことを特徴とする請求項１または２に記載のＸ線発生装置。
【請求項４】
前記トランスは、前記整流昇圧回路に電気的に接続された二次出力端子と、前記収納容器の外部に設けられた交流電圧源に電気的に接続された一次入力端子とを備え、
前記二次出力端子は、前記管軸方向における前記陽極と前記陰極との間であって、前記
トランスの芯材重心より前記Ｘ線発生管の側に位置し、
前記一次入力端子は、前記芯材の重心より、前記収納容器の内壁の側に位置する
ことを特徴とする請求項１乃至３のいずれか１項に記載のＸ線発生装置。
【請求項５】
前記陽極と前記陽極端子と、前記陰極と前記陰極端子と、前記入力端子と前記二次出力端子と、のそれぞれを電気的に接続する接続線のそれぞれは、前記管軸方向において互いに重ならならないように配置されていることを特徴とする特徴とする請求項１乃至４のいずれか１項に記載のＸ線発生装置。
【請求項６】
前記整流昇圧回路は、前記Ｘ線発生管の前記管軸方向に沿って、順次電位が増大する領域を有していることを特徴とする請求項１乃至５のいずれか１項に記載のＸ線発生装置。
【請求項７】
前記整流昇圧回路は、コッククロフト・ウォルトン回路を備えることを特徴とする請求項５に記載のＸ線発生装置。
【請求項８】
前記陽極が透過型のターゲットを端窓として有することを特徴とする請求項１乃至７のいずれか１項に記載のＸ線発生装置。
【請求項９】
前記収納容器は、絶縁性液体をさらに収納し、
前記絶縁性液体は、前記収納容器の内面と前記Ｘ線発生管の外面とに接していることを特徴としている請求項１乃至８のいずれか１項に記載のＸ線発生装置。
【請求項１０】
請求項１乃至９のいずれか１項に記載のＸ線発生装置と、前記Ｘ線発生装置から放出され被検体を透過したＸ線を検出するＸ線検出器と、を備えることを特徴とするＸ線撮影システム。
【発明の詳細な説明】
【技術分野】
【０００１】
本発明は、医療機器および産業技術分野におけるＸ線撮影等に適応できるＸ線発生装置とＸ線撮影システムに関する。
【背景技術】
【０００２】
Ｘ線発生装置は、陰極と陽極との間に管電圧が印加されて陽極からＸ線を発生するＸ線発生管と、かかるＸ線発生管に対して管電圧を出力する管電圧回路と、かかるＸ線発生管とかかる管電圧回路とを収納する収納容器とから構成されることが知られている。また、管電圧回路は、巻数比に基づいて交流電圧から交流電圧に昇圧するトランスと、交流電圧を直流電圧に整流するとともに昇圧する整流昇圧回路と、により構成されることが知られている。
【０００３】
特許文献１には、Ｘ線発生管と駆動回路と収納容器との間の絶縁耐圧性能を確保することを目的として、トランスと整流昇圧回路とを隣接して配置し、トランスの二次側出力を整流昇圧回路の入力に直結させたＸ線発生装置が開示されている。
【先行技術文献】
【特許文献】
【０００４】
【特許文献１】特開２００５−０３８８２５号公報
【発明の概要】
【発明が解決しようとする課題】
【０００５】
特許文献１のようにトランスと整流昇圧回路とを隣接させたＸ線発生装置において、Ｘ線発生管の管電圧が変動し、Ｘ線発生装置のＸ線の出力強度が変動する場合があった。
【０００６】
本発明の目的は、トランスが発熱した場合においても、整流昇圧回路の動作を安定化させ、Ｘ線発生管に印加される管電圧を安定化させた、出力変動の低減されたＸ線発生装置、または、撮影画像にバラツキのないＸ線撮影システムを提供することにある。
【課題を解決するための手段】
【０００７】
本発明のＸ線発生装置は、管軸方向に沿って配置された、陽極と絶縁管と陰極とを備えたＸ線発生管と、前記陽極と前記陰極との間に管電圧を出力する管電圧回路と、前記管電圧回路と前記Ｘ線発生管とを収納する収納容器と、を少なくとも有するＸ線発生装置であって、前記管電圧回路は、所定方向に沿って順次電位が増大する領域を有して回路基板に設けられた整流昇圧回路と、前記整流昇圧回路の入力端子に前記管電圧より低電圧の中間電圧を出力するトランスと、を少なくとも有し、前記Ｘ線発生管は、前記管軸方向と交差する方向において、前記整流昇圧回路と前記トランスとの間に位置することを特徴とする。
【０００８】
また、本発明のＸ線撮影システムは、上記本発明のＸ線発生装置と前記Ｘ線発生装置から放出され被検体を透過したＸ線を検出するＸ線検出器と、を備えることを特徴とする。
【発明の効果】
【０００９】
本発明のＸ線発生装置によれば、トランスの電力損失によりトランスが発熱した場合においても、整流昇圧回路の動作を安定化させ、Ｘ線発生管に印加される管電圧を安定化させた、出力変動の低減されたＸ線発生装置を提供することが可能となる。また、トランスが発熱した場合においても、出力変動が生じ難いＸ線発生装置を備え、撮影画像にバラツキのないＸ線撮影システムを提供することが可能となる。
【図面の簡単な説明】
【００１０】
【図１】本発明の第一の実施形態のＸ線発生装置を示す構成図（ａ）と断面図（ｂ）である。
【図２】本発明の第一の実施形態の整流昇圧回路を示す構成図である。
【図３】本発明の第一の実施形態の整流昇圧回路の部分拡大図である。
【図４】本発明の第二の実施形態のＸ線発生装置を示す構成図である。
【図５】本発明の第二の実施形態の整流昇圧回路を示す構成図である。
【図６】本発明のＸ線発生装置が適用されるＸ線撮影システムの実施形態を示すブロック図である。
【発明を実施するための形態】
【００１１】
管電圧回路を構成する整流昇圧回路は、交流電圧を直流電圧に整流する整流動作が含まれる。前述のＸ線発生装置の出力変動の原因の詳細は明らかではないものの、少なくとも、整流昇圧回路の整流動作に変動が生じていることが判った。
【００１２】
本願発明者等の鋭意なる検討の結果、かかる整流昇圧回路の整流動作の変動は、「トランスの発熱」、「整流昇圧回路の温度上昇」、「整流ダイオードの逆回復時間の増大」が要因となっていることが推定された。本発明者等により推定された管電圧の変動のメカニズムは、トランスの損失に起因してトランスの発熱が生じ、トランスと近接配置された整流昇圧回路の温度上昇が発生し、整流昇圧回路において整流動作を担う整流ダイオードの逆回復時間が増大することであった。
【００１３】
以下に、本発明の好ましい実施形態を添付の図面を用いて詳細に説明する。本発明は、本願明細書に記載の実施形態に限定されるものではない。なお、本願明細書において特に図示又は記載されていない部分に関しては、当該技術分野の周知又は公知技術を適用する。また、以下に参照する図面において、同じ記号は同様の構成要素を示す。
【００１４】
（第１の実施形態）
図１（ａ）、（ｂ）は、本発明のＸ線発生装置の第１の実施形態を示す構成図である。図１（ｂ）は、図１（ａ）の断面指示線Ａ−Ａ’においてＸ線発生装置１０を仮想的に切り開いた断面図である。
【００１５】
図１（ａ）のＸ線発生装置１０は、Ｘ線発生管６と、整流昇圧回路８およびトランス９からなる管電圧回路２８と、収納容器２３と、を備えている。さらに、Ｘ線発生装置１０は、Ｘ線発生管６の外面と収納容器２３の内面とに接するように充填された絶縁性液体１１が収納されている。
【００１６】
まず、Ｘ線発生管６について、図１（ａ）を用いて説明する。Ｘ線発生管６は、電子放出源４を備えた陰極１と透過型のターゲット５を有する陽極２とを備え、電子放出源４から放出された電子線束２５をターゲット５に照射することによりＸ線を発生させる。このため、電子放出源４はターゲット５に対向して配置されている。本実施形態においては、ターゲット５はＸ線発生管６のＸ線取り出しを目的とする端窓を兼ねている。
【００１７】
なお、電子線束２５に含まれる電子は、陰極１と陽極２に挟まれたＸ線発生管６の内部空間に形成された加速電界により、ターゲット３２でＸ線を発生させる為に必要な入射エネルギーとなるまで加速される。
【００１８】
Ｘ線発生管６の内部空間は、電子線束２５の平均自由行程を確保することを目的として、真空となっている。Ｘ線発生管６の内部の真空度は、１Ｅ−８Ｐａ以上１Ｅ−４Ｐａ以下であることが好ましく、電子放出源の寿命の観点からは、１Ｅ−８Ｐａ以上１Ｅ−６Ｐａ以下であることがより一層好ましい。
【００１９】
Ｘ線発生管６の内部空間２７は、不図示の排気管および真空ポンプを用いて真空排気した後、かかる排気管を封止することにより真空とすることが可能である。また、Ｘ線発生管６の内部空間２７には、真空度の維持を目的として、不図示のゲッターを配置しても良い。
【００２０】
Ｘ線発生管６は、陰極電位に規定される電子放出源４と、陽極電位に規定されるターゲット５との間の電気的絶縁を図る目的において、胴部に絶縁管３を備えている。絶縁管３は、ガラス材料やセラミックス材料等の絶縁性材料で構成される。本実施形態においては、陰極１と絶縁管３と陽極２とにより外囲器を構成している。
【００２１】
外囲器は、真空度を維持するための気密性と耐大気圧性有する堅牢性とを備える部材から構成されることが好ましい。
【００２２】
なお、陰極１が備える電子放出源４は、例えばタングステンフィラメント、含浸型カソードのような熱陰極や、カーボンナノチューブ等の冷陰極を用いることができる。電子放出源４は、電子線束２５のビーム径および電子電流密度、オン・オフタイミング等の制御を目的として、不図示のグリッド電極、静電レンズ電極を備えた形態とすることできる。
【００２３】
次に、本発明の特徴であるＸ線発生管６に管電圧を印加する管電圧回路２８の構成と配置について具体的に説明する。
【００２４】
Ｘ線発生装置１０の管電圧回路２８は、整流昇圧回路８とトランス９とから構成されており、管電圧回路２８の回路構成について図１（ａ）を用いて説明する。
【００２５】
トランス９は、収納容器２３の外部に配置された不図示の交流電圧源に、貫通端子２０を介して電気的に接続された一次入力端子１２を備える。トランス９は、入力された２ｋＶ〜５０ｋＶの交流電圧を２０〜５０倍程度の巻線比に基づいて電圧振幅を増大させる昇圧動作を担う。トランス９は、昇圧した交流電圧を中間電圧として二次出力端子１３から出力する。中間電圧は管電圧より低い電圧振幅を有する交流電圧である。
【００２６】
なお、トランス９は、フェライト系磁性材等のコア材、三層絶縁電線等の巻線材料、ポリブチレンテレフタレート樹脂材等のボビン材と、を備えた形態とすることができる。
【００２７】
また、トランス９は、絶縁性を確保するために、一次入力端子１２と二次出力端子１３とコア材との間隙に絶縁性液体１１を浸透させる構造とすることも本発明の実施形態として含まれる。
【００２８】
整流昇圧回路８は、トランス９の二次側出力端子１３に接続された中間入力端子１４を有し、入力された交流信号の振幅電圧の２〜１０倍程度の直流電圧となるまで昇圧する。
【００２９】
整流昇圧回路８で昇圧させた直流電圧は、陽極端子１５と陰極端子１７とから、それぞれ、陽極２と陰極１とに出力され、Ｘ線発生管６に４０〜２００ｋＶの管電圧を給電する。整流昇圧回路は、所定方向に沿って順次電位が増大する領域を有しており、整流昇圧回路８は、陰極端子１７から陽極端子１５にかけて、順次電位が増大する領域を有している。本実施形態の整流昇圧回路８においては、かかる所定方向はＸ線発生管６の管軸方向に一致している。
【００３０】
なお、図１（ａ）、（ｂ）に示すように、Ｘ線発生管６は、整流昇圧回路８とトランス９の間に位置するように配置する。このようにトランス９と整流昇圧回路８とを離間し、かつ、Ｘ線発生管６を介して配置することにより、整流昇圧回路８は、トランス９からの発熱の影響を受けずに整流動作を安定に動作させることができる。
【００３１】
図２は、整流昇圧回路８の実施形態と整流昇圧回路８とトランス９との接続形態を示す概略構成図であり、図３は、図２に示す整流昇圧回路８の部分を拡大した部分拡大図である。
【００３２】
整流昇圧回路８は、陽極用コッククロフト・ウォルトン回路２１と陰極用コッククロフト・ウォルトン回路２２の二回路で構成されている。整流昇圧回路８の入力は、トランス９の二次出力端子１３の出力に電気的に接続されている。
【００３３】
図３に示すように、コッククロフト・ウォルトン回路は、高電圧用フィルムコンデンサ２個と高電圧ダイオード２個を直並列に組み合わせて１段分を構成している。コッククロフト・ウォルトン回路を構成する各１段は、１段分で入力交流電圧を全波整流しかつ平滑された直流電圧を発生させることができる。
【００３４】
コッククロフト・ウォルトン回路は、図２のように、多段縦続とすることでその段数分に応じて１段分の出力電圧を加算させた電圧振幅を得ることができる。そのため、所望の直流電圧を出力するためには、Ｘ線発生管６の管電圧を出力するために必要な段数分が多段従属された回路構成する。
【００３５】
例えば、図２に示す整流昇圧回路８において、陽極用コッククロフト・ウォルトン回路２１では入力電圧を１０ｋＶとし５段の回路構成とすれば、出力電圧は５０ｋＶとなる。整流昇圧回路８は、回路基板の中央と一端に中間入力端子１４と陽極端子１５が設けられ、回路基板の中央から外端に向けてコッククロフト・ウォルトン回路を５段縦続させて実装されることにより、陽極端子１５は５０ｋＶの陽極電位を出力する。
【００３６】
また、陰極用コッククロフト・ウォルトン回路２２は、陽極端子２１と回路基板の中央に対して線対称に配置されて構成されることにより、陰極端子１７は−５０ｋＶの陰極電位を出力する。
【００３７】
本発明の整流昇圧回路８のトランス９からの熱影響を緩和する作用は、３つの作用に分けられる。
【００３８】
第１及び第２の作用は、整流昇圧回路８のトランス９が相互に離間して収納容器２３内に配置される特徴によって発現される。第１の作用は、トランス９からの熱放射の影響を距離の−２乗に比例して減衰させることにある。また、第２の作用は、絶縁性流体の対流経路を長くすることで収納容器２３との間で熱交換される熱量を増大させ放熱を促進する作用が発現される。
【００３９】
第３の作用は、整流昇圧回路８とトランス９との間にＸ線発生管６が配置される特徴によって発現される。第３の作用は、Ｘ線発生管６が有する真空断熱作用にある。Ｘ線発生管６は内部空間２７が真空となっているため、管軸方向と交差する方向の熱伝導を阻害する作用を発現する。第１〜第３の作用は、いずれも、トランス９から整流昇圧回路８への伝熱を抑制する作用となる。
【００４０】
第３の作用を効果的に発現させる観点からは、Ｘ線発生管６は、管軸方向と直交する方向において、整流昇圧回路８とトランス９との間に位置することが好ましい。
【００４１】
整流昇圧回路８は、陽極２と陰極１とのそれぞれに電気的に接続された陽極端子１５と陰極端子１７とを備えている。さらに、陽極端子１５は、管軸方向を法線とする仮想平面群のうち、絶縁管３の外周面において陰極１と陽極２との中間点が形成する環状中間線Ｐの重心Ｏを通る仮想平面Ｑに対して、陽極２と同じ側に位置する。同様にして、陰極端子１７は、仮想平面Ｑに対して、陽極端子１５と反対側に位置している。
【００４２】
このような配置をとることにより、陰極１と陰極端子１７とを接続する陰極配線１８と、陽極２と陽極端子１５とを接続する陽極配線１６とを、互いに交差することなく離間することが可能となり、収納容器２３内部の部材間の絶縁耐圧性能が向上する。この結果、Ｘ線発生装置１０は安定して管電圧が印加され続けられるものとなる。
【００４３】
さらに、トランス９は、整流昇圧回路８の中間入力端子１４に接続された二次出力端子１３と、トランス９が出力する中間電圧より低電圧な一次入力端子１２とを備えている。二次出力端子１３は、管軸方向における陽極２と陰極１との間であって、トランス９の芯材重心ＣよりＸ線発生管６の側に位置し、一次入力端子１２は、芯材の重心Ｃより、収納容器２３の内壁の側に位置している。
【００４４】
本実施形態の配置によれば、トランス９の端子のうち、相対的に低電圧な一次入力端子１２が収納容器２３の側に配置され、相対的に高電圧な二次出力端子１３がＸ線発生管６の側に配置される。この結果、Ｘ線発生装置１０の絶縁耐圧性能は、より一層向上され、電圧変動が低減された管電圧で安定的に駆動されるＸ線発生装置１０を提供することが可能となる。
【００４５】
さらに、Ｘ線発生装置１０において、陽極２と陽極端子１５と、陰極１と陰極端子１７と、中間入力端子１４と二次出力端子１３と、のそれぞれは、陽極配線１８、陰極配線１６、中間配線１９からなる接続線を介して電気的に接続されている。さらに、陽極配線１８、陰極配線１６、中間配線１９は、管軸方向において互いに重ならならないように配置され、収納容器２３の内部において実装されている。
【００４６】
このような配置とすることにより、電圧変動が低減された管電圧で安定的に駆動されるＸ線発生装置１０を提供することが可能となる。
【００４７】
なお、収納容器２３の内部に収納される絶縁性流体は、絶縁油等の絶縁性液体１１を、空気、窒素、ＳＦ６等の絶縁性気体に置換してもよい。
【００４８】
（第２の実施形態）
次に、図４，図５を用いて、本発明のＸ線発生装置の第２の実施形態を説明する。第２の実施形態は、第１の実施形態の変形例である。
【００４９】
図４に図示されたＸ線発生装置１０は、陰極用の管電圧回路と陽極用の管電圧回路を、それぞれ備え、トランス、整流昇圧回路４４を構成するコッククロフト・ウォルトン回路、中間配線をそれぞれ２組備える点で、実施形態１と相違する。
【００５０】
トランス３１，３５の二次出力端子３３，３７より中間電位が出力され、整流昇圧回路４０の中間入力端子４４，４３に入力されるように、トランス３１，３５と整流昇圧回路４０とは電気的に接続されている。
【００５１】
整流昇圧回路４０は、図５に示すように、陽極端子４５、陰極端子４６をそれぞれ備える２組のコッククロフト・ウォルトン回路から構成されている。コッククロフト・ウォルトン回路のそれぞれは、６段縦続の構成とされている。
【００５２】
トランス３１，３５の二次出力端子３３，３７からそれぞれ、振幅１０ｋＶの中間電圧が出力された場合、整流昇圧回路４０の陽極端子４５、陰極端子４６は、＋６０ｋＶ、−６０ｋＶを出力し、１２０ｋＶの管電圧を出力するものとなる。
【００５３】
なお、Ｘ線発生管６は、管軸方向と交差する方向において、トランス３１、３５と整流昇圧回路４０との間に配置されている。
【００５４】
また、陽極端子４５は、管軸方向を法線とする仮想平面群のうち、絶縁管３の外周面において陰極１と陽極２との中間点が形成する環状中間線Ｐの重心Ｏを通る仮想平面Ｑに対して、陽極２と同じ側に位置する。同様にして、陰極端子４６は、仮想平面Ｑに対して、陽極端子４５と反対側に位置している。
【００５５】
このような配置をとることにより、陰極１と陰極端子４６とを接続する陰極配線１８と、陽極２と陽極端子４５とを接続する陽極配線１６とを、互いに交差することなく離間することが可能となり、収納容器２３内部の部材間の絶縁耐圧性能が向上する。この結果、Ｘ線発生装置１０は安定して管電圧が印加され続けられるものとなる。
【００５６】
さらに、トランス３１，３５のそれぞれは、整流昇圧回路４０の中間入力端子４４、４３のそれぞれに接続された二次出力端子３３、３７と、トランス９が出力する中間電圧より低電圧な一次入力端子３２，３６とを備える。さらに、二次出力端子３３、３７のそれぞれは、管軸方向における陽極２と陰極１との間であって、トランス９の芯材重心Ｃ１、Ｃ２より、Ｘ線発生管６の側に位置している。また、一次入力端子３２、３７は、芯材の重心Ｃ１、Ｃ２より、収納容器２３の内壁の側に位置している。
【００５７】
このような配置によれば、トランス３１，３５の端子のうち、相対的に低電圧な一次入力端子３２、３６が収納容器２３の側に配置され、相対的に高電圧な二次出力端子１３がＸ線発生管６の側に配置される。この結果、Ｘ線発生装置１０の絶縁耐圧性能は、より一層向上され、電圧変動が低減された管電圧で安定的に駆動されるＸ線発生装置１０を提供することが可能となる。
【００５８】
さらに、本実施形態では、陽極２と陽極端子４５と、陰極１と陰極端子４６と、中間入力端子４４、４３と二次出力端子３３，３７と、のそれぞれが、陽極配線１８、陰極配線１６、中間配線３４、３８からなる接続線を介して電気的に接続されている。さらに、陽極配線１８、陰極配線１６、中間配線３４、３８は、管軸方向において互いに重ならならないように配置され、収納容器２３の内部において実装されている。
【００５９】
このような配置とすることにより、電圧変動が低減された管電圧で安定的に駆動されるＸ線発生装置１０を提供することが可能となる。
【００６０】
（第３の実施形態）
次に、図６を用いて、本発明のＸ線発生装置１０を備えるＸ線撮影システム６０の実施形態について説明する。
【００６１】
システム制御ユニット２０２は、Ｘ線発生装置１０とＸ線検出器２０６とを統合制御する。駆動回路１０３は、システム制御ユニット２０２による制御の下に、Ｘ線発生管１０２に各種の制御信号を出力する。駆動回路１０３は、Ｘ線発生装置１０が備える、本実施形態においては、収納容器１２０の内部にＸ線発生管１０２とともに収納されているが、収納容器１２０の外部に配置しても良い。駆動回路１０３が出力する制御信号により、Ｘ線発生装置１０から放出されるＸ線束２６の放出状態が制御される。駆動回路１０３には、本発明のＸ線発生管の特徴である管電圧発生回路が含まれるが、図６においては省略されている。
【００６２】
Ｘ線発生装置１０から放出されたＸ線束２６は、可動絞りを備えた不図示のコリメータユニットによりその照射範囲を調整されてＸ線発生装置１０の外部に放出され、被検体２０４を透過して検出器２０６で検出される。検出器２０６は、検出したＸ線を画像信号に変換して信号処理部２０５に出力する。
【００６３】
信号処理部２０５は、システム制御ユニット２０２による制御の下に、画像信号に所定の信号処理を施し、処理された画像信号をシステム制御ユニット２０２に出力する。
【００６４】
システム制御ユニット２０２は、処理された画像信号に基づいて、表示装置２０３に画像を表示させるための表示信号を表示装置２０３に出力する。
【００６５】
表示装置２０３は、表示信号に基づく画像を、被検体２０４の撮影画像としてスクリーンに表示する。
【００６６】
Ｘ線撮影システム１０１は、工業製品の非破壊検査や人体や動物の病理診断に用いることができる。
【符号の説明】
【００６７】
１  陰極
２  陽極
３  絶縁管
６  Ｘ線発生管
８  整流昇圧回路
９  トランス
１５  陽極端子
１７  陰極端子
【図１】
2015125905.tif 000003
【図２】
2015125905.tif 000004
【図３】
2015125905.tif 000005
【図４】
2015125905.tif 000006
【図５】
2015125905.tif 000007
【図６】
2015125905.tif 000008